(57)【要約】【課題】ネットワーク接続時のターミナルアダプタの設定を自動的に行うことにより、ターミナルアダプタの設定時間を短縮し、人為的なミスを排除するとが可能なネットワーク接続用ターミナルアダプタの設定方法を提供すること。【解決手段】記録媒体に記録されたプログラムを実行してターミナルアダプタのネットワーク接続の設定を行い、ＤＨＣＰサーバからターミナルアダプタのＩＰアドレスを取得する。ユーザ及びターミナルアダプタ情報の管理を行うプロファイルサーバヘ自動的にアクセスし、プロファイルサーバの認証後にターミナルアダプタの設定に必要な情報をユーザ端末装置ヘダウンロードし、プロファイルサーバから得た情報をユーザ端末装置が直接ターミナルアダプタへ書き込んでターミナルアダプタ設定を行い、その後ＳＩＰサーバにアクセスしてユーザ登録を行う。【選択図】      図２
2004235761.tif 000002
【特許請求の範囲】
【請求項１】
パーソナルコンピュータからなるユーザ端末装置および電話機を通信網としてのネットワークに接続するためのＶｏＩＰ用ターミナルアダプタの設定方法であって、
事業者から提供された記録媒体に記録されたターミナルアダプタ設定プログラムをユーザ端末装置で実行してターミナルアダプタをネットワークに接続するステップと、ＤＨＣＰサーバからターミナルアダプタのＩＰアドレスを取得するステップと、ユーザ端末装置がユーザ情報及びターミナルアダプタ情報の管理を行うプロファイルサーバヘ自動的にアクセスしてユーザ登録を受けるステップと、前記プロファイルサーバのユーザ登録後にターミナルアダプタの設定に必要な情報をユーザ端末装置ヘダウンロードするステップと、前記プロファイルサーバから得た情報をユーザ端末装置が直接ターミナルアダプタへ書き込んでターミナルアダプタ設定を行うステップとからなることを特徴とするＶｏＩＰ用ターミナルアダプタの設定方法。
【請求項２】
パーソナルコンピュータからなるユーザ端末装置および電話機を通信網としてのネットワークに接続するためのＶｏＩＰ用ターミナルアダプタの設定方法であって、
ユーザ端末装置がユーザ情報及びターミナルアダプタ情報の管理を行うネットワーク上のプロファイルサーバヘアクセスしてユーザ認証を受けるステップと、前記プロファイルサーバのユーザ認証後にターミナルアダプタの更新設定に必要な情報をユーザ端末装置ヘダウンロードするステップと、前記プロファイルサーバから得た更新情報をユーザ端末が直接ターミナルアダプタへ書き込んでターミナルアダプタの更新設定を行うステップとからなることを特徴とするＶｏＩＰ用ターミナルアダプタの設定方法。
【請求項３】
パーソナルコンピュータからなるユーザ端末装置および電話機を通信網としてのネットワークに接続するためのＶｏＩＰ用ターミナルアダプタの設定情報の管理方法であって、
ユーザ情報及びターミナルアダプタ情報の管理を行うプロファイルサーバと、ユーザのターミナルアダプタにＩＰアドレスを割り付けるＤＨＣＰサーバと、ターミナルアダプタからの通話要求に対して通話相手のアドレスを検索して接続処理を行うＳＩＰサーバとがネットワーク上に接続されたＶｏＩＰシステムで、前記ユーザ端末装置からの前記プロファイルサーバへのターミナルアダプタ設定要求時、又はターミナルアダプタ設定更新要求時に、前記ＤＨＣＰサーバ及び前記ＳＩＰサーバが前記プロファイルサーバに連動して、共有するユーザ情報、ターミナルアダプタ設定情報を書き換えることを特徴とするＶｏＩＰ用ターミナルアダプタの設定情報の管理方法。
【請求項４】
パーソナルコンピュータからなるユーザ端末装置および電話機を通信網としてのネットワークに接続するＶｏＩＰ用ターミナルアダプタを備えるＶｏＩＰシステムにおいて、
前記ユーザ端末装置からユーザ情報及びターミナルアダプタ情報の管理を行うネットワーク上のプロファイルサーバに接続する接続手段と、前記接続手段による接続後に、前記プロファイルサーバによりユーザ管理情報を記憶したデータベースにユーザ情報の登録を行うユーザ登録手段と、前記ユーザ登録手段によるユーザ情報の登録後に、前記プロファイルサーバから前記ユーザ端末装置に前記ターミナルアダプタの設定情報を出力するターミナルアダプタ設定情報出力手段と、前記ユーザ端末装置が前記ターミナルアダプタ設定情報出力手段のターミナルアダプタ設定情報によりターミナルアダプタの設定を行うターミナルアダプタ設定手段とを有することを特徴とするＶｏＩＰシステム。
【請求項５】
パーソナルコンピュータからなるユーザ端末装置および電話機を通信網としてのネットワークに接続するＶｏＩＰ用ターミナルアダプタを備えるＶｏＩＰシステムにおいて、
前記ユーザ端末装置からユーザ情報及びターミナルアダプタ情報の管理を行うネットワーク上のプロファイルサーバに接続する接続手段と、前記接続手段による接続後に、前記プロファイルサーバによりユーザ管理情報を記憶したデータベースからユーザ情報を読み出してユーザの認証を行うユーザ認証手段と、前記ユーザ認証手段によるユーザ認証後に、前記プロファイルサーバから前記ユーザ端末装置にターミナルアダプタ設定の更新情報を出力するターミナルアダプタ設定更新情報出力手段と、前記ユーザ端末装置が前記ターミナルアダプタ設定更新情報出力手段のターミナルアダプタ設定の更新情報によりターミナルアダプタの更新設定を行うターミナルアダプタ更新設定手段を有することを特徴とするＶｏＩＰシステム。
【請求項６】
前記プロファイルサーバは、ターミナルアダプタ設定の更新情報をターミナルアダプタで実行可能なプログラムとして記憶していることを特徴とする請求項５記載のＶｏＩＰ用ターミナルアダプタの設定方法。
【発明の詳細な説明】
【０００１】
【発明の属する技術分野】
本発明は、ＳＩＰによる音声、データ等のＩＰ通信を行うＶｏＩＰシステムで、特に、パーソナルコンピュータからなるユーザ端末装置および電話機を通信網としてのネットワークに接続するＶｏＩＰ用ターミナルアダプタの設定方法およびＶｏＩＰ用ターミナルアダプタの設定情報の管理方法に関する。
【０００２】
【従来の技術】
ブロードバンドの常時接続の普及に伴って多様化するサービスの１つとして、ＳＩＰ（Ｓｅｓｓｉｏｎ  Ｉｎｉｔｉａｔｉｏｎ  Ｐｒｏｔｏｃａｌ）によるＶｏＩＰ（Ｖｏｉｃｅ  ｏｖｅｒ  ＩＰ）システムが構築されつつある。ＶｏＩＰは、データ通信に使用しているＩＰネットワークで音声通信を行うものであり、従来の公衆電話網を使用した音声通信と比較して運用コストが低減できるため普及しつつある。
【０００３】
ユーザがＶｏＩＰサービスを受けるには、ユーザに事業者から提供されるＶｏＩＰ用ターミナルアダプタを設置することが必要となる。ユーザは事業者からターミナルアダプタを受け取ると、ユーザ自身が事業者より提供された情報に基づいてターミナルアダプタの設定を行ったり、事業者が顧客毎にターミナルアダプタの設定のサービスを行って、ネットワークに接続するようにしている。
【０００４】
本願に係る発明に関連する先行技術文献情報としては次のものがある。
【特許文献１】
特表２００１−５２０７８７号公報
【０００５】
【発明が解決しようとする課題】
従来、ユーザがＶｏＩＰサービスを受けるには、ユーザ自身が事業者より提供された情報に基づいてターミナルアダプタの設定を行ったり、事業者が顧客毎にターミナルアダプタの動作設定の設定を行っている。しかしながら、ユーザがターミナルアダプタの設定に時間を要したり、設定ミスなどでターミナルアダプタが正常に動作しないことがある。また、事業者のターミナルアダプタの設定のサービスを受けるのに、顧客が待たされたりすることがある。
【０００６】
また、ターミナルアダプタのファームウェアの不具合発生時には、ユーザが自ら事業者のホームページにアクセスして必要な情報を入手してターミナルアダプタの更新作業を進めるか、事業者がターミナルアダプタを回収するなどの作業が発生していた。このため、ターミナルアダプタの設定に人出と時間がかかる等の問題点を有している。
【０００７】
そこで本発明は、上記問題点に鑑みてなされたものであり、ネットワーク接続時のターミナルアダプタの設定を自動的に行うことにより、ターミナルアダプタの設定時間を短縮し、人為的なミスを排除するとが可能なＶｏＩＰ用ターミナルアダプタの設定方法を提供することを目的とする。
【０００８】
また、ターミナルアダプタのファームウェアの不具合発生時にも、ターミナルアダプタ内のソフトウェアの書き換え、ターミナルアダプタの設定等を自動的に行うことにより、保守工数を減らし、ターミナルアダプタの更新設定の煩わしさを解消することが可能なＶｏＩＰ用ターミナルアダプタの設定方法およびＶｏＩＰ用ターミナルアダプタの設定情報の管理方法を提供することを目的とする。
【０００９】
【課題を解決するための手段】
本発明によるＶｏＩＰ用ターミナルアダプタの設定方法は、パーソナルコンピュータからなるユーザ端末装置および電話機を通信網としてのネットワークに接続するためのＶｏＩＰ用ターミナルアダプタの設定方法であって、事業者から提供された記録媒体に記録されたターミナルアダプタ設定プログラムをユーザ端末装置で実行してターミナルアダプタをネットワークに接続するステップと、ＤＨＣＰサーバからターミナルアダプタのＩＰアドレスを取得するステップと、ユーザ端末装置がユーザ情報及びターミナルアダプタ情報の管理を行うプロファイルサーバヘ自動的にアクセスしてユーザ登録を受けるステップと、前記プロファイルサーバのユーザ登録後にターミナルアダプタの設定に必要な情報をユーザ端末装置ヘダウンロードするステップと、前記プロファイルサーバから得た情報をユーザ端末装置が直接ターミナルアダプタへ書き込んでターミナルアダプタ設定を行うステップとからなるようにしたものである。
【００１０】
また、本発明によるＶｏＩＰ用ターミナルアダプタの設定方法は、パーソナルコンピュータからなるユーザ端末装置および電話機を通信網としてのネットワークに接続するためのＶｏＩＰ用ターミナルアダプタの設定方法であって、ユーザ端末装置がユーザ情報及びターミナルアダプタ情報の管理を行うネットワーク上のプロファイルサーバヘアクセスしてユーザ認証を受けるステップと、前記プロファイルサーバのユーザ認証後にターミナルアダプタの更新設定に必要な情報をユーザ端末装置ヘダウンロードするステップと、前記プロファイルサーバから得た更新情報をユーザ端末が直接ターミナルアダプタへ書き込んでターミナルアダプタの更新設定を行うステップとからなるようにしたものである。
【００１１】
また、本発明によるＶｏＩＰ用ターミナルアダプタの設定情報の管理方法は、パーソナルコンピュータからなるユーザ端末装置および電話機を通信網としてのネットワークに接続するためのＶｏＩＰ用ターミナルアダプタの設定情報の管理方法であって、ユーザ情報及びターミナルアダプタ情報の管理を行うプロファイルサーバと、ユーザのターミナルアダプタにＩＰアドレスを割り付けるＤＨＣＰサーバと、ターミナルアダプタからの通話要求に対して通話相手のアドレスを検索して接続処理を行うＳＩＰサーバとがネットワーク上に接続されたＶｏＩＰシステムで、前記ユーザ端末装置からの前記プロファイルサーバへのターミナルアダプタ設定要求時、又はターミナルアダプタ設定更新要求時に、前記ＤＨＣＰサーバ及び前記ＳＩＰサーバが前記プロファイルサーバに連動して、共有するユーザ情報、ターミナルアダプタ設定情報を書き換えるようにしたものである。
【００１２】
また、本発明によるＶｏＩＰシステムは、パーソナルコンピュータからなるユーザ端末装置および電話機を通信網としてのネットワークに接続するＶｏＩＰ用ターミナルアダプタを備えるＶｏＩＰシステムにおいて、前記ユーザ端末装置からユーザ情報及びターミナルアダプタ情報の管理を行うネットワーク上のプロファイルサーバに接続する接続手段と、前記接続手段による接続後に、前記プロファイルサーバによりユーザ管理情報を記憶したデータベースにユーザ情報の登録を行うユーザ登録手段と、前記ユーザ登録手段によるユーザ情報の登録後に、前記プロファイルサーバから前記ユーザ端末装置に前記ターミナルアダプタの設定情報を出力するターミナルアダプタ設定情報出力手段と、前記ユーザ端末装置が前記ターミナルアダプタ設定情報出力手段のターミナルアダプタ設定情報によりターミナルアダプタの設定を行うターミナルアダプタ設定手段とを有するようにしたものである。
【００１３】
また、本発明によるＶｏＩＰシステムは、パーソナルコンピュータからなるユーザ端末装置および電話機を通信網としてのネットワークに接続するＶｏＩＰ用ターミナルアダプタを備えるＶｏＩＰシステムにおいて、前記ユーザ端末装置からユーザ情報及びターミナルアダプタ情報の管理を行うネットワーク上のプロファイルサーバに接続する接続手段と、前記接続手段による接続後に、前記プロファイルサーバによりユーザ管理情報を記憶したデータベースからユーザ情報を読み出してユーザの認証を行うユーザ認証手段と、前記ユーザ認証手段によるユーザ認証後に、前記プロファイルサーバから前記ユーザ端末装置にターミナルアダプタ設定の更新情報を出力するターミナルアダプタ設定更新情報出力手段と、前記ユーザ端末装置が前記ターミナルアダプタ設定更新情報出力手段のターミナルアダプタ設定の更新情報によりターミナルアダプタの更新設定を行うターミナルアダプタ更新設定手段を有するようにしたものである。
【００１４】
また、前記プロファイルサーバは、ターミナルアダプタの設定更新情報をターミナルアダプタで実行可能なプログラムとして記憶しているものである。
【００１５】
【発明の実施の形態】
以下図面を参照して、本発明によるＶｏＩＰ用ターミナルアダプタの設定方法、ＶｏＩＰ用ターミナルアダプタの設定情報の管理方法およびＶｏＩＰシステムの実施の形態について説明する。図１は、ＳＩＰによるＶｏＩＰシステムの構成図、図２は、ＶｏＩＰ用ターミナルアダプタを自動設定する際のＶｏＩＰシステム上の信号の流れを示す図、図３は、ＶｏＩＰ用ターミナルアダプタを自動設定する際のフローチャートを示す図、図４は、記録媒体としてのＣＤ−ＲＯＭ、ＦＤ（フロッピー（登録商標）ディスク）等に記憶されている内容を示す図、図５は、データベースに記憶されているユーザ情報の内容を示す図である。
【００１６】
図１に示すように、ＶｏＩＰシステム１は、パーソナルコンピュータからなるユーザ端末装置２と、ＶｏＩＰ用ターミナルアダプタ３と、モデム４と、電話機５と、プロファイルサーバ１０と、ＤＨＣＰサーバ１１と、ＳＩＰサーバ１２と、データベース１３と、ネットワーク１５とから構成されている。
【００１７】
ユーザ端末装置２は、記憶装置としてのハードディスク、ＣＤ−ＲＯＭ、ＦＤ等の記録媒体７を読み込むためのＣＤ−ＲＯＭ、ＦＤドライブ等が内蔵されている。また、ユーザ端末装置２は通信用インターフェースを備えており、通信用インターフェースはＶｏＩＰ用ターミナルアダプタ３に接続されている。ユーザ端末装置２は、ＶｏＩＰ用ターミナルアダプタ３を経由してインターネット等のネットワーク１５に接続される。また、ユーザ端末装置２は、ＶｏＩＰ用ターミナルアダプタ３の設定を行う際にも使用する。
【００１８】
ＶｏＩＰ用ターミナルアダプタ３は、電話機５の音声をデジタル変換したデータ、ユーザ端末装置２のデータをＩＰプロトコルに基づいてネットワーク１５上のＳＩＰサーバ１２に送出し、また、ネットワーク１５上のＳＩＰサーバ１２からのデータを受信を行うものである。ＳＩＰサーバ１２から受信した音声データは、アナログ信号の音声に復元されて電話機に送られる。これにより、電話機による通話が可能となる。ＶｏＩＰ用ターミナルアダプタ３には、ＣＰＵとプログラム、データ等を記憶する書き換え可能なフラッシュメモリ等からなるマイクロコンピュータが内蔵されている。
【００１９】
モデム４は、ネットワーク１５に接続するためのモデムであり、ネットワーク１５の形態により適宜選定される。なお、ＶｏＩＰ用ターミナルアダプタ３にモデム機能を内蔵しているものは、モデム４を必要としない。
【００２０】
電話機５は、音声をアナログ信号に変えてたり、音声に再生することによって通話を行う装置であり、ＶｏＩＰ用ターミナルアダプタ３に接続されている。
【００２１】
プロファイルサーバ１０は、ネットワーク１５上に設けられており、ＶｏＩＰ用ターミナルアダプタ３の設定データ、更新データ、ユーザ情報等を管理するものである。プロファイルサーバ１０は顧客情報等を記録したデータベース１３を有している。プロファイルサーバ１０は、ユーザが新規にＶｏＩＰ用ターミナルアダプタ３を設置したとき、ＶｏＩＰ用ターミナルアダプタ３の設定内容の更新、プログラムの更新が必要なときに、ユーザからアクセスされるものである。また、プロファイルサーバ１０は、ユーザにＶｏＩＰ用ターミナルアダプタ３等の更新情報を提供する機能を有している。
【００２２】
ＤＨＣＰ（Ｄｙｎａｍｉｃ  Ｈｏｓｔ  Ｃｏｎｆｉｇｕｒａｔｉｏｎ  Ｐｒｏｔｏｃａｌ）サーバは、ネットワーク１５上のＶｏＩＰ用ターミナルアダプタ３等の端末アダプターに自動的にＩＰアドレスを割り当てるものである。
【００２３】
ＳＩＰサーバ１２は、ＶｏＩＰ用ターミナルアダプタ３からの通信、通話要求に対して通信通話相手のアドレスを検索して、接続先のサーバに接続要求信号を転送したり、着信応答の転送、ＳＩＰメッセージの転送等の処理を行うものである。
【００２４】
通信網としてのネットワーク１５は、インターネットから成るＷＡＮ、企業内のＬＡＮ等で構成されている。しかして、本実施の形態によるネットワーク１５は、ＷＡＮ，ＬＡＮに限らず、その他のネットワーク１５により通信可能なものであればよく、通信網として機能するものであればよい。
【００２５】
上記構成よりなるＶｏＩＰシステム１でユーザが電話による音声通信を利用するには、ユーザがインターネットプロバイダ（事業者）から提供されるＶｏＩＰ用ターミナルアダプタ３の設定を行う必要がある。
【００２６】
図２乃至図５を用いてＶｏＩＰ用ターミナルアダプタ３の設置後のＶｏＩＰシステム１に接続するためのＶｏＩＰ用ターミナルアダプタの自動設定について述べる。図２は、ＶｏＩＰ用ターミナルアダプタを自動設定する際のＶｏＩＰシステム上の信号の流れを示し、図３は、ＶｏＩＰ用ターミナルアダプタを自動設定する際のフローチャートを示す。ＶｏＩＰサービスを受けるユーザは、ＶｏＩＰ用ターミナルアダプタ３にユーザ端末装置を接続し、モデム４を介してネットワーク１５に配線接続する（図３のステップＳ１）。また、ＶｏＩＰ用ターミナルアダプタ３の送付と同時にユーザＩＤ，電話番号、パスワード、ＳＩＰサーバ１２のアドレス等のユーザ情報及びアプリケーションプログラムを記憶したＣＤ−ＲＯＭ、ＦＤ等の記録媒体も提供される。図４にＣＤ−ＲＯＭ、ＦＤ等の記録媒体に記憶されている内容を示す。図４に示すように記録媒体には、記録媒体に記録されたプログラムをユーザ端末装置２のメモリに転送するためのインストールプログラムと、ＶｏＩＰ用ターミナルアダプタと通信するための通信プログラムと、ＶｏＩＰ用ターミナルアダプタの設定を行うためのアプリケーションプログラムであるプログラム１及びプログラム２とが記憶されている。なお、プログラム１は、通信プログラムと共にＶｏＩＰ用ターミナルアダプタの設定を行うためのものであり、プログラム１は、プロファイルサーバとの通信を行うものである。
【００２７】
なお、アプリケーションプログラム等を記憶したＣＤ−ＲＯＭ、ＦＤ等の記録媒体による提供だけでなく、ウェブ上からのダウンロード、または、プロファイルサーバ１０とＶｏＩＰ用ターミナルアダプタ３間のみの通信によりＶｏＩＰ用ターミナルアダプタ３にインストールするようにしてもよい。
【００２８】
事業者より提供されたＶｏＩＰ用ターミナルアダプタ３への配線接続完了後に、ユーザ端末装置からＣＤ−ＲＯＭ７等の記録媒体で配布されたプログラム１及びプログラム２をドライバーから記憶装置に転送してプログラム１を起動させる（図３のステップＳ２）。図２に示すように、プログラム１は、ユーザからのユーザ名、ホスト名の入力受付を行い、インターネットに接続するためのターミナルアダプタ設定情報をＶｏＩＰ用ターミナルアダプタ３に送出する（図３のステップＳ３）。
【００２９】
図２に示すように、ＶｏＩＰ用ターミナルアダプタ３は、ネットワーク１５上のＤＨＣＰサーバ１１にアクセスしてＩＰアドレスの取得を行う（図３のステップＳ４）。取得したＩＰアドレスは、ＶｏＩＰ用ターミナルアダプタ３よりユーザ端末装置に転送される。これにより、ユーザ端末装置及びＶｏＩＰ用ターミナルアダプタ３は、インターネットとの接続が確立する。
【００３０】
次に、プログラム２を起動して（図３のステップＳ５）、ユーザ端末装置はネットワーク１５上のプロファイルサーバ１０に接続して、ユーザ端末装置に格納されているユーザ名、ホスト名を送出する（図３のステップＳ６）。図２に示すように、プロファイルサーバ１０は、ユーザ端末装置からのユーザ名、ホスト名を確認して、ユーザ名をキーとしてデータベース１３を検索して、ユーザＩＤ、パスワード、電話番号、ＳＩＰサーバ１２のアドレス等のＳＩＰ情報を呼び出してユーザ端末装置に送出する（図３のステップＳ７）。データベース１３には図５に示すように、前もって、ユーザ名に対応したユーザＩＤ、パスワード、電話番号等を記憶している。プロファイルサーバ１０から得られたＳＩＰ情報は、ユーザ端末装置の記憶装置に記憶される。次にユーザ端末装置は、ＶｏＩＰ用ターミナルアダプタ３との通信を行い、プロファイルサーバ１０から得られたＳＩＰ情報をＶｏＩＰ用ターミナルアダプタ３に送出して、ＶｏＩＰ用ターミナルアダプタ３の設定を行う（図３のステップＳ８）。ＶｏＩＰ用ターミナルアダプタ３の設定完了後は、ＶｏＩＰ用ターミナルアダプタ３とＳＩＰサーバ１２との通信を行い、ＳＩＰサーバ１２はユーザＩＤ、パスワード等の確認を行い、ユーザの登録を行う（図３のステップＳ９）。以後、ユーザは電話機５に通話相手の電話番号を指定することにより通話を開始することができる。
【００３１】
また、ＶｏＩＰ用ターミナルアダプタ３の機能拡張等によるファームウェアの更新、プロバイダーの運用形態の変更等でＶｏＩＰ用ターミナルアダプタ３の設定を変更する必要が生じる。次に、既にＶｏＩＰ用ターミナルアダプタ３を使用している場合のＶｏＩＰ用ターミナルアダプタ３の設定について述べる。
【００３２】
ユーザ端末装置のプログラム２を起動して、ネットワーク１５上のプロファイルサーバ１０に接続して、ユーザ端末装置に格納されているユーザ名、ホスト名を送出する。プロファイルサーバ１０は、ユーザ端末装置からのユーザ名、ホスト名を確認して認証を行う。認証はユーザ名をキーとしてデータベース１３を検索して、正当なユーザであるかを判断する。プロファイルサーバ１０は、ユーザを認証後にユーザＩＤ、パスワード、電話番号、ＳＩＰサーバ１２のアドレス等のＳＩＰ情報、更新用プログラムを呼び出してユーザ端末装置に送出する。データベース１３には前もって、ユーザ名に対応したユーザＩＤ、パスワード、電話番号、更新履歴等を記憶している。
【００３３】
プロファイルサーバ１０から得られたＳＩＰ情報、更新用プログラムは、ユーザ端末装置の記憶装置に記憶される。次にユーザ端末装置は、ＶｏＩＰ用ターミナルアダプタ３との通信を行い、プロファイルサーバ１０から得られたＳＩＰ情報、更新用プログラムをＶｏＩＰ用ターミナルアダプタ３に送出して、ＶｏＩＰ用ターミナルアダプタ３の設定を行う。ＶｏＩＰ用ターミナルアダプタ３の設定完了後は、ＶｏＩＰ用ターミナルアダプタ３とＳＩＰサーバ１２との通信を行い、ＳＩＰサーバ１２はユーザＩＤ、パスワード等の確認を行い、ユーザの登録を行う。以上により、ＶｏＩＰ用ターミナルアダプタ３のファームウェアの更新が完了する。以後、ユーザは電話機５に通話相手の電話番号を指定することにより通話を開始することができる。
【００３４】
次に、ＶｏＩＰ用ターミナルアダプタの設定情報の管理方法について述べる。図１に示すユーザ情報及びターミナルアダプタ情報の管理を行うプロファイルサーバ１０と、ユーザのＶｏＩＰ用ターミナルアダプタ３にＩＰアドレスを割り付けるＤＨＣＰサーバ１１と、ＶｏＩＰ用ターミナルアダプタ３からの通話要求に対して通話相手のアドレスを検索して接続処理を行うＳＩＰサーバ１２とがネットワーク１５上に接続されたＶｏＩＰシステムで、ユーザ端末装置２からのプロファイルサーバ１０へのターミナルアダプタ設定要求時、又はターミナルアダプタ設定更新要求時に、ＤＨＣＰサーバ１１及びＳＩＰサーバ１２がプロファイルサーバ１０に連動して、共有するユーザ情報、ターミナルアダプタ設定情報を書き換えるように構成されている。
【００３５】
以上述べたように、本発明の実施の形態によれば、ＣＤ−ＲＯＭ等の記録媒体に記憶されたターミナル設定用プログラムをユーザ端末装置で起動して、最初にターミナルアダプタのネットワーク接続のための設定を行い、次に、プロファイルサーバにアクセスしてＳＩＰ情報を入手して、ターミナルアダプタを自動設定することにより、ターミナルアダプタの設定時間の短縮が計られ、また、設定ミスを防止することが可能となる。
【００３６】
【発明の効果】
以上述べたように、本発明のＶｏＩＰ用ターミナルアダプタの設定方法、ＶｏＩＰ用ターミナルアダプタの設定情報の管理方法およびＶｏＩＰシステムによれば、プロファイルサーバとターミナルアダプタとの連携によって、従来のユーザによるターミナルアダプタの細かなターミナルアダプタの設定をユーザ端末装置からプログラムを起動させるだけで、ターミナルアダプタの自動設定が行われて、ユーザの手間を省くことができる。また、設定ミスを防止することができる。
【００３７】
また、同時にサービス事業者には、顧客管理、運用、ファームウェアの更新等の保守の負担が削減させ、運用費のコストダウンを計ることが可能となる。
【００３８】
また、自動設定プログラムをそのままユーザ端末装置の常時アプリケーションとすることで、サービス事業者からのお知らせやバナー広告、音声チヤツト等の幅広いサービスの提供が可能となる。
【図面の簡単な説明】
【図１】ＳＩＰによるＶｏＩＰシステムの構成図である。
【図２】ＶｏＩＰ用ターミナルアダプタを自動設定する際のＶｏＩＰシステム上の信号の流れを示す図である。
【図３】ＶｏＩＰ用ターミナルアダプタを自動設定する際のフローチャートを示す図である。
【図４】記録媒体としてのＣＤ−ＲＯＭに記憶されている内容を示す図である。
【図５】データベースに記憶されているユーザ情報の内容を示す図である。
【符号の説明】
１          ＶｏＩＰシステム
２          ユーザ端末装置（パーソナルコンピュータ）
３          ＶｏＩＰ用ターミナルアダプタ
４          モデム
５          電話機
７          記録媒体（ＣＤ−ＲＯＭ）
１０        プロファイルサーバ１０
１１        ＤＨＣＰサーバ
１２        ＳＩＰサーバ
１３        データベース
１５        ネットワーク（インターネット）
【図１】
2004235761.tif 000003
【図２】
2004235761.tif 000004
【図３】
2004235761.tif 000005
【図４】
2004235761.tif 000006
【図５】
2004235761.tif 000007